(57)【特許請求の範囲】
【請求項１】
脚部によって支持される基部と、
前記基部に設けた第１回転軸を中心としてリクライニング可能な背凭れ部と、
前記背凭れ部の側方に設けられ、前記基部に設けた第２回転軸を中心として回動可能な肘掛け部と、
を備える椅子の肘掛け装置であって、
前記背凭れ部に対して一体的に設けられることで前記背凭れ部のリクライニング動作と連動して回動するアーム部材と、
前記肘掛け部に対して回転自由に軸支されることで前記肘掛け部の回動動作と連動して移動すると共に、前記アーム部材と連係することにより、前記肘掛け部の上方への回動範囲を、前記背凭れ部のリクライニングの状態に応じた位置に規制するリンク部材と、
を備え、
前記肘掛け部は、左右方向に並んだ２脚の椅子の中間に１つ設けられて該２脚の椅子で共用され、
前記アーム部材及び前記リンク部材は、前記２脚の椅子のそれぞれの背凭れ部と連動するようにそれぞれ２つずつ設けられると共に、２つのアーム部材が共通の軸部材によって軸支されていることを特徴とする椅子の肘掛け装置。
【請求項２】
請求項１記載の椅子の肘掛け装置において、
前記リンク部材の先端側には、長孔が形成され、
前記アーム部材の先端側には、前記長孔に挿入されることで該長孔内を移動可能なピンが設けられ、
前記ピンと前記長孔の一端部とが当接することにより、前記肘掛け部の上方への回動範囲が、前記背凭れ部のリクライニングの状態に応じた位置に規制されることを特徴とする椅子の肘掛け装置。
【請求項３】
請求項２記載の椅子の肘掛け装置において、
前記背凭れ部をリクライニングさせた場合に、該背凭れ部が後傾するのに伴って前記ピンが前記長孔内を前記一端部側から他端部側へと移動することにより、該ピンと該長孔の一端部との間に隙間が形成され、該隙間が前記肘掛け部の上方への回動可能角度を規定することを特徴とする椅子の肘掛け装置。
【請求項４】
請求項３記載の椅子の肘掛け装置において、
前記背凭れ部を後傾させ且つ前記肘掛け部を上方に回動させた状態から、該背凭れ部を次第に前傾させると、該背凭れ部の前傾に伴って前記ピンが前記長孔の一端部を押圧し、前記肘掛け部が次第に下方へと回動されることを特徴とする椅子の肘掛け装置。
【請求項５】
請求項１〜４のいずれか１項に記載の椅子の肘掛け装置において、
前記基部には、前記軸部材が移動可能に挿入される円弧状孔部が形成され、
前記肘掛け部の下方への回動範囲は、前記軸部材が前記円弧状孔部の一端部に当接することで規制されることを特徴とする椅子の肘掛け装置。
【発明の詳細な説明】
【技術分野】
【０００１】
本発明は、リクライニング可能な背凭れ部と、この背凭れ部の側方に回動可能に設けられた肘掛け部とを備える椅子の肘掛け装置に関する。
【背景技術】
【０００２】
背凭れ部をリクライニング可能に構成された椅子では、リクライニング時に肘掛け部が邪魔になることがあり、特に左右方向に２脚以上が並べて配置されたリクライニング椅子では、リクライニング時のみならず非リクライニング時であっても前方に突出した肘掛け部が隣席間の障害物となってしまうことがある。
【０００３】
そこで、従来より、このようなリクライニング椅子の肘掛け部の後端部に回転軸を設け、肘掛け部を上方（後方）へと回動可能（跳ね上げ可能）に構成することにより、肘掛け部が不要な場合、この肘掛け部を背凭れ部の側方へと一時的に退避させることができる肘掛け装置を搭載した椅子が用いられている（例えば、特許文献１参照）。
【先行技術文献】
【特許文献】
【０００４】
【特許文献１】特開２０１０−１９３９２５号公報
【発明の概要】
【発明が解決しようとする課題】
【０００５】
ところで、上記従来の肘掛け装置では、通常、肘掛け部を上方へと跳ね上げた際には、該肘掛け部を必要以上に後方へと回動させないために、その回動範囲をストッパによって規制しており、後方側へと肘掛け部が突出してしまうことを防止している。
【０００６】
従って、プラネタリウムや寝台車両等の椅子のように、リクライニング範囲が大きく設定されている種類の椅子では、深くリクライニングさせた場合、肘掛け部が背凭れ部よりも前方に突出した位置に留まって十分に退避させることができない場合があり、特に、上記のような左右方向に２脚以上が並べて配置されたリクライニング椅子では、隣席間の肘掛け部がリクライニング時の両席間の障害物となることが指摘されている。
【０００７】
一方、リクライニング時においても邪魔にならない角度範囲で肘掛け部を回動可能に構成した場合、非リクライニング時や浅くリクライニングした状態で肘掛け部を上方に大きく回動させると、背凭れ部の後方に肘掛け部が突出し、後席の着席者によっての障害物となる可能性がある。
【０００８】
本発明は、上記従来技術の課題を考慮してなされたものであり、肘掛け部を背凭れ部のリクライニングの状態に適した位置へと退避させることができる椅子の肘掛け装置を提供することを目的とする。
【課題を解決するための手段】
【０００９】
本発明に係る椅子は、脚部によって支持される基部と、前記基部に設けた第１回転軸を中心としてリクライニング可能な背凭れ部と、前記背凭れ部の側方に設けられ、前記基部に設けた第２回転軸を中心として回動可能な肘掛け部とを備える椅子の肘掛け装置であって、前記背凭れ部に対して一体的に設けられることで前記背凭れ部のリクライニング動作と連動して回動するアーム部材と、前記肘掛け部に対して回転自由に軸支されることで前記肘掛け部の回動動作と連動して移動すると共に、前記アーム部材と連係することにより、前記肘掛け部の上方への回動範囲を、前記背凭れ部のリクライニングの状態に応じた位置に規制するリンク部材とを備え、前記肘掛け部は、左右方向に並んだ２脚の椅子の中間に１つ設けられて該２脚の椅子で共用され、前記アーム部材及び前記リンク部材は、前記２脚の椅子のそれぞれの背凭れ部と連動するようにそれぞれ２つずつ設けられると共に、２つのアーム部材が共通の軸部材によって軸支されていることを特徴とする。
【００１０】
このような構成によれば、背凭れ部のリクライニング動作と連動して回動するアーム部材と、肘掛け部の回動動作と連動して移動すると共に、アーム部材と連係することにより、肘掛け部の上方への回動範囲を、背凭れ部のリクライニングの状態に応じた位置に規制するリンク部材とを備えることにより、肘掛け部を背凭れ部のリクライニングの状態に適した位置へと確実に退避させることができる。このため、背凭れ部がリクライニング可能な椅子であっても、肘掛け部の上方への回動が不十分となること、及び、肘掛け部が過剰に上方へと回動されて背凭れ部よりも後方に大きく突出することを防止して、常に最適な跳ね上げ位置となるように肘掛け部の回動位置を制御することができる。
【００１１】
前記リンク部材の先端側には、長孔が形成され、前記アーム部材の先端側には、前記長孔に挿入されることで該長孔内を移動可能なピンが設けられ、前記ピンと前記長孔の一端部とが当接することにより、前記肘掛け部の上方への回動範囲が、前記背凭れ部のリクライニングの状態に応じた位置に規制されると、アーム部材とリンク部材とをピンと長孔とを用いた簡素な構成で連係させることができ、簡素な構成で肘掛け部の回動範囲を確実に制御することができる。
【００１２】
前記背凭れ部をリクライニングさせた場合に、該背凭れ部が後傾するのに伴って前記ピンが前記長孔内を前記一端部側から他端部側へと移動することにより、該ピンと該長孔の一端部との間に隙間が形成され、該隙間が前記肘掛け部の上方への回動可能角度を規定するように構成すると、前記隙間の形成量を設定するだけで、肘掛け部の回動範囲を背凭れ部のリクライニング状態に応じた適切なものに規定することができる。
【００１３】
前記背凭れ部を後傾させ且つ前記肘掛け部を上方に回動させた状態から、該背凭れ部を次第に前傾させると、該背凭れ部の前傾に伴って前記ピンが前記長孔の一端部を押圧し、前記肘掛け部が次第に下方へと回動されると、背凭れ部のリクライニング位置に応じた回動位置へと肘掛け部を自動的に戻すことができる。
【００１４】
前記基部には、前記軸部材が移動可能に挿入される円弧状孔部が形成され、前記肘掛け部の下方への回動範囲は、前記軸部材が前記円弧状孔部の一端部に当接することで規制されるように構成してもよい。
【発明の効果】
【００１５】
本発明によれば、背凭れ部のリクライニング動作と連動して回動するアーム部材と、肘掛け部の回動動作と連動して移動すると共に、アーム部材と連係することにより、肘掛け部の上方への回動範囲を、背凭れ部のリクライニングの状態に応じた位置に規制するリンク部材とを備えることにより、肘掛け部を背凭れ部のリクライニングの状態に適した位置へと確実に退避させることができる。
【図面の簡単な説明】
【００１６】
【図１】図１は、本発明の一実施形態に係る椅子の肘掛け装置を備えた椅子の斜視図である。
【図２】図２は、図１に示す肘掛け部及び肘掛け装置の構成を示す一部分解斜視図であり、図２（Ａ）は、右席の左側の肘掛け部及び該肘掛け部の回動機構となる肘掛け装置の構成を示し、図２（Ｂ）は、左席の右側の肘掛け部及び該肘掛け部の回動機構となる肘掛け装置の構成を示している。
【図３】図３は、図１に示す実施形態に係る椅子の肘掛け装置の動作説明図であり、図３（Ａ）は、背凭れ部を最も前傾位置まで起こし、肘掛け部を最も下方となる位置まで回動させた状態を示し、図３（Ｂ）は、図３（Ａ）に示す状態から、肘掛け部を上方へと回動させた状態を示す。
【図４】図４は、図１に示す椅子の肘掛け装置の動作説明図であり、図４（Ａ）は、図３（Ｂ）に示す状態から、背凭れ部を最も後傾位置まで倒した状態を示し、図４（Ｂ）は、図４（Ａ）に示す状態から、肘掛け部をさらに上方へと回動させた状態を示す。
【発明を実施するための形態】
【００１７】
以下、本発明に係る椅子の肘掛け装置について、この装置を備えた椅子との関係で好適な実施の形態を挙げ、添付の図面を参照しながら詳細に説明する。
【００１８】
図１は、本発明の一実施形態に係る椅子の肘掛け装置１０を備えた椅子１２の斜視図であり、劇場やプラネタリウムや映画館、スタジアム等において多数配列された椅子１２のうち、隣接した所定の左席１２Ｌ及び右席１２Ｒを図示したものである。なお、椅子の肘掛け装置１０及び椅子１２において、各部の左右に１つずつ対称的に設けられる機構乃至構成要素については、椅子１２の着席者から見た方向で左のものの参照符号に「Ｌ」を付し、右のものの参照符号に「Ｒ」を付すものとする。
【００１９】
以下、本実施形態では、椅子１２として、左右方向に並んだ２脚の椅子１２（左席１２Ｌ及び右席１２Ｒ）が脚部１４によって床面上に一体的に固定されると共に、図示はしないが、この２脚の組が前後方向に後ろ上がりの階段状に並んで複数列配置されたプラネタリウム用の椅子を例示して説明する。なお、椅子１２は、前後方向や左右方向に１脚のみが単独で用いられるもの又は左右方向に３脚以上が並んで用いられるものであってもよく、勿論、プラネタリウム用以外の用途に用いることもできる。
【００２０】
図１に示すように、椅子１２（左席１２Ｌ及び右席１２Ｒ）は、脚部１４によって支持される基部１６と、使用者が座るための座部１８と、座部１８への着席者が背中で寄り掛かる部分である背凭れ部２０と、着席者が肘を掛けるための肘掛け部２２Ｌ、２２Ｍ、２２Ｒ（以下、まとめて「肘掛け部２２」ともいう）とを備え、この肘掛け部２２Ｌ、２２Ｍ、２２Ｒの回動機構（跳ね上げ機構）として、椅子の肘掛け装置１０（以下、単に「肘掛け装置１０」ともいう）がそれぞれ備えられている。
【００２１】
基部１６は、椅子１２の下部中央に設けられる脚部１４によって支持されると共に、座部１８の下方を左右方向にそれぞれ延びたフレーム１５（図３参照）と、該フレーム１５の両端部に設けられて上下方向に起立した肘掛け基部（基部）１７とを備える。肘掛け基部１７は、椅子１２の各肘掛け部２２を回動可能に支持すると共に、肘掛け装置１０を支持するものであり、通常、その両側面は蓋板１９で覆われる。
【００２２】
座部１８は、その基端（後端）側が基部１６に設けられた図示しない回転軸に軸支されることで回動可能な構成となっており、非着席時には上方に跳ね上がって前席との間に通路としての空間を確保することができる。座部１８を跳ね上げた状態は、図１で右席１２Ｒに示し、座部１８を下げた状態は図１で左席１２Ｌに示す。勿論、座部１８は固定式のものでもよい。
【００２３】
背凭れ部２０は、その骨格となる枠状の背フレーム（枠フレーム）２３の表面が袋状の張り材（張り地）２４によって覆われており、この張り材２４の張力（テンション）によって着席者からの荷重を受け止めることができる。背フレーム２３の上部には、着席者が頭部を凭れるヘッドレストフレーム２６が該背フレーム２３と一体的に設けられており、このヘッドレストフレーム２６にも、前記張り材２４が張設される。なお、図１では、右席１２Ｒにのみ張り材２４を２点鎖線によって図示しているが、左席１２Ｌについても右席１２Ｒと同様に張り材２４が張設されることは言うまでもない。
【００２４】
背フレーム２３は、上下方向に左右一対で延び、その上部同士が上部フレーム２８で連結され、下部同士が下部フレーム３０で連結された側部フレーム３２、３２を備え、正面視で矩形枠状に形成されている。ヘッドレストフレーム２６は、両側部フレーム３２の上部を延長及び屈曲させて一体的に連結して構成されている。なお、本実施形態の場合、椅子１２はプラネタリウム用の椅子のため、背凭れ部２０の上部にヘッドレストフレーム２６によってヘッドレストを形成しているが、該ヘッドレスト（ヘッドレストフレーム２６）は椅子１２の用途によっては省略可能であることは勿論である。
【００２５】
各側部フレーム３２の下端部の外側面には、プレート状の取付部３６が前方に向けて突設されている。取付部３６は、肘掛け基部１７（基部１６）に設けられた左右方向のリクライニング軸（第１回転軸）３８を中心として回転可能な固定板４０（図２参照）の表面にボルト等で固定される。左右両側部の肘掛け基部１７でリクライニング軸３８に軸支された固定板４０に各取付部３６が取り付けられることにより、背凭れ部２０は、リクライニング軸３８を中心として前傾方向及び後傾方向へとリクライニング可能（傾動可能）な状態で肘掛け基部１７によって支持されることになる。
【００２６】
次に、肘掛け部２２及び肘掛け装置１０について説明する。
【００２７】
図１に示すように、本実施形態では、椅子１２として、左席１２Ｌ及び右席１２Ｒを一体的に連結した構成を採用していることから、左席１２Ｌの左側に肘掛け部２２Ｌが設けられ、右席１２Ｒの右側に肘掛け部２２Ｒが設けられ、左席１２Ｌと右席１２Ｒとの中間に肘掛け部２２Ｍが設けられている。つまり、中間の肘掛け部２２Ｍは、左席１２Ｌと右席１２Ｒとで共用される。
【００２８】
図２は、図１に示す肘掛け部２２及び肘掛け装置１０の構成を示す一部分解斜視図であり、図２（Ａ）は、右席１２Ｒの左側の肘掛け部２２Ｍ及び該肘掛け部２２Ｍの回動機構となる肘掛け装置１０の構成を示し、図２（Ｂ）は、左席１２Ｌの右側の肘掛け部２２Ｍ及び該肘掛け部２２Ｍの回動機構となる肘掛け装置１０の構成を示している。
【００２９】
先ず、肘掛け部２２及び肘掛け装置１０を支持する肘掛け基部１７について説明する。
【００３０】
図１及び図２に示すように、肘掛け基部１７は、上下方向に沿う側面視略矩形状の基部プレート４２と、基部プレート４２の周縁部を一周するように該周縁部の端面に固着された帯状のフランジプレート４４とを備え、フランジプレート４４の左右側面が蓋板１９によって覆われる。この際、基部プレート４２の端面は、フランジプレート４４の左右幅方向中心に固着されることから、基部プレート４２の左側面４２Ｌ及び右側面４２Ｍのそれぞれの表面上には、蓋板１９の内面との間にフランジプレート４４の幅寸法の略半分の高さ（深さ）を有する空間が形成され、この空間に肘掛け装置１０の各構成要素や図示しない背凭れ部２０のリクライニング機構等が収納される。
【００３１】
フランジプレート４４の上部後端の角部には、凹部４４ａが形成されており、この凹部４４ａには、側面視円形状の支持プレート４２ａが設けられている。支持プレート４２ａは、基部プレート４２の上部後端の角部を突出形成し、フランジプレート４４の凹部４４ａに形成されたスリットを貫通させた円形状の部位の両面に固着された円形プレートである。支持プレート４２ａの円の中心には、軸孔４３が貫通形成されている。
【００３２】
次に、肘掛け部２２について説明する。ここでは、図２に示す肘掛け部２２Ｍについて代表的に説明するが、他の肘掛け部２２Ｌ、２２Ｒも略同様な構成である。
【００３３】
図１及び図２に示すように、肘掛け部２２Ｍ（肘掛け部２２Ｌ、肘掛け部２２Ｒ）は、支持プレート４２ａを両面側から挟持して互いに連結される一対の肘掛けフレーム４６Ｌ、４６Ｒと、肘掛けフレーム４６Ｌ、４６Ｒの外面側に固定されることで、当該肘掛け部２２Ｍの外形を構成する肘掛け本体４８とを備える。
【００３４】
肘掛けフレーム４６Ｌ、４６Ｒは、支持プレート４２ａと重なる側面視円形状の円板部４６ａと、円板部４６ａから前方に向かって延在する先細りの突出部４６ｂとから構成され、各円板部４６ａの中心に軸孔４６ｃが貫通形成されている。肘掛けフレーム４６Ｌ、４６Ｒで支持プレート４２ａを挟持した状態で、回転軸ピン（第２回転軸）５０を、一方の肘掛けフレーム４６Ｌの軸孔４６ｃと、支持フレーム４２ａの軸孔４３と、他方の肘掛けフレーム４６Ｒの軸孔４６ｃとに挿通させることにより、肘掛けフレーム４６Ｌ、４６Ｒ、つまり肘掛け部２２Ｍ（肘掛け部２２Ｌ、肘掛け部２２Ｒ）は、回転軸ピン５０を中心として一体的に回動可能な状態で肘掛け基部１７に軸支されることになる。
【００３５】
次に、肘掛け装置１０について説明する。ここでは、図２に示す肘掛け部２２Ｍに設けられる肘掛け装置１０について代表的に説明するが、他の肘掛け部２２Ｌ、２２Ｒに設けられる肘掛け装置１０も略同様な構成であるため、詳細な説明は省略し、肘掛け部２２Ｍに設けられる肘掛け装置１０と構成の異なる点についてのみ説明する。
【００３６】
図２（Ａ）に示すように、肘掛け部２２Ｍを支持する基部プレート４２の右側面４２Ｒには、右席１２Ｒの背凭れ部２０と連動する肘掛け装置１０が設けられ、図２（Ｂ）に示すように、基部プレート４２の左側面４２Ｌには、左席１２Ｌの背凭れ部２０と連動する肘掛け装置１０が設けられている。
【００３７】
先ず、図２（Ａ）に示すように、右席１２Ｒの背凭れ部２０と連動する肘掛け部２２Ｍの肘掛け装置１０は、リクライニング軸３８に回転可能に外挿された円筒部材５２を介して固体板４０と一体的に設けられて前方へと延びたアーム部材５４と、肘掛けフレーム４６Ｌ、４６Ｒ間を左右方向に連結する軸部材５６の右側端部（肘掛けフレーム４６Ｒ側端部）に軸支されて下方へと延びたリンク部材５８とを備える。軸部材５６は、支持プレート４２ａに形成された円弧状孔部６０を挿通し、左右の肘掛けフレーム４６Ｌ、４６Ｒの円板部４６ａに形成された連結孔部６１に嵌挿されており、回転軸ピン５０を中心とする肘掛け部２２Ｍの回動動作と連動して円弧状孔部６０内を移動する。
【００３８】
アーム部材５４は、円弧状の先端を有する舌片状のプレートであり、その先端側を貫通してピン６２が固定されている。固体板４０には、背凭れ部２０の取付部３６が取り付けられるため、アーム部材５４は、円筒部材５２及び固体板４０を介して、背凭れ部２０の取付部３６に一体的に設けられ、該背凭れ部２０のリクライニング動作と連動し、リクライニング軸３８を中心として回動する。
【００３９】
リンク部材５８は、基端側に軸部材５６が挿通される孔部５８ａが形成され、先端側に長手方向に延在する長孔５８ｂが形成されたバー状のプレートである。長孔５８ｂには、アーム部材５４先端のピン６２が該長孔５８ｂ内を移動可能な状態で挿入配置される。従って、リンク部材５８は、基端側（上端側）が孔部５８ａを介して軸部材５８によって肘掛けフレーム４６Ｌ、４６Ｒ、つまり肘掛け部２２Ｍに軸支され、該肘掛け部２２Ｍの回動動作と連動して移動可能であり、この際、先端側（下端側）はピン６２と長孔５８ｂとの係合作用下に該ピン６２に沿って移動する。
【００４０】
このように、肘掛け装置１０は、背凭れ部２０に対して一体的に設けられることで該背凭れ部２０のリクライニング動作と連動して回動するアーム部材５４と、肘掛け部２２Ｍに対して回転自由に軸支されることで該肘掛け部２２Ｍの回動動作と連動して移動すると共に、ピン６２と長孔５８ｂとの係合作用（案内作用）によってアーム部材５４と連係可能なリンク部材５８とを備えている。
【００４１】
一方、図２（Ｂ）に示すように、肘掛け部２２Ｍを支持する基部プレート４２の左側面４２Ｌに設けられ、左席１２Ｌの背凭れ部２０と連動する肘掛け装置１０についても、上記した支持プレート４２ａの右側面４２Ｒに設けられる肘掛け装置１０と同様に構成されている。
【００４２】
すなわち、図２（Ｂ）に示すように、左席１２Ｌの背凭れ部２０と連動する肘掛け部２２Ｍの肘掛け装置１０は、右席１２Ｒの背凭れ部２０と連動する肘掛け部２２Ｍの肘掛け装置１０に対し、基部プレート４２を中心として左右対称に各構成要素が設けられている。なお、この肘掛け装置１０において、リンク部材５８が、軸部材５６の左側端部（肘掛けフレーム４６Ｌ側端部）に軸支される点以外は、図２（Ａ）に示されるものと同様である。つまり、肘掛け部２２Ｍでは、右席１２Ｒ用のリンク部材５８と左席１２Ｌ用のリンク部材５８とが、共通の回転軸となる軸部材５６の両端側にそれぞれ軸支されている。
【００４３】
他方、左席１２Ｌ及び右席１２Ｒの両端に設けられた肘掛け部２２Ｌ、２２Ｒは、その隣に他の席がないため、基部プレート４２の内側面にのみ肘掛け装置１０が設置される。つまり、左席１２Ｌの左側の肘掛け部２２Ｌを支持する基部プレート４２では、その右側面４２Ｒにのみ肘掛け装置１０が設けられ、リンク部材５８を右側端部で軸支する軸部材５６の左側端部は、リンク部材５８を介在させることなく肘掛けフレーム４６Ｌに連結される。略同様に、右席１２Ｒの右側の肘掛け部２２Ｒを支持する基部プレート４２では、その左側面４２Ｌにのみ肘掛け装置１０が設けられ、リンク部材５８を左側端部で軸支する軸部材５６の右側端部は、リンク部材５８を介在させることなく肘掛けフレーム４６Ｒに連結される。
【００４４】
次に、以上のように構成される肘掛け装置１０の動作について、主に図３及び図４を参照して説明する。
【００４５】
図３は、図１に示す椅子の肘掛け装置１０の動作説明図であり、図３（Ａ）は、背凭れ部２０を最も前傾位置まで起こし、肘掛け部２２を最も下方となる位置まで回動させた状態を示し、図３（Ｂ）は、図３（Ａ）に示す状態から、肘掛け部２２を上方へと回動させた状態を示す。また、図４は、図１に示す椅子の肘掛け装置１０の動作説明図であり、図４（Ａ）は、図３（Ｂ）に示す状態から、背凭れ部２０を最も後傾位置まで倒した状態を示し、図４（Ｂ）は、図４（Ａ）に示す状態から、肘掛け部２２をさらに上方へと回動させた状態を示す。なお、図３及び図４では、理解の容易のため、肘掛け基部１７を構成する基部プレート４２（支持プレート４２ａを除く）等の各構成要素を省略して図示している。
【００４６】
先ず、図３（Ａ）に示すように、背凭れ部２０を最も前傾位置まで起こし、肘掛け部２２を最も下方となる位置まで回動させて倒伏させた状態（初期状態）において、肘掛け部２２が障害となった場合には、着席者は該肘掛け部２２を手動で上方へと跳ね上げる。そうすると、肘掛け部２２は、図３（Ｂ）中に実線矢印で示すように、回転軸ピン５０を中心として上方へと回動され、軸部材５６が円弧状孔部６０内を上方へと移動し、リンク部材５８も上方へと移動する。この際、肘掛け部２２は、背凭れ部２０と連動するアーム部材５４のピン６２と、リンク部材５８の長孔５８ｂの一端部（下端部）５９とが当接するまでの範囲で上方へと回動させることができる。
【００４７】
すなわち、肘掛け部２２の上方への回動範囲は、アーム部材５４のピン６２とリンク部材５８の長孔５８ｂとで規制されており、図３（Ａ）及び図３（Ｂ）から諒解されるように、長孔５８ｂの一端部５９とピン６２との間に形成される隙間が、肘掛け部２２の上方への回動可能角度を規定している。
【００４８】
そこで、当該肘掛け装置１０では、図３（Ａ）及び図３（Ｂ）に示すように、背凭れ部２０のリクライニング角度が最も前傾位置にある場合の肘掛け部２２の上方への回動範囲（回動可能角度）は、側面視で該肘掛け部２２が背凭れ部２０と重なる位置となるように設定されている。これにより、肘掛け部２２の上方への回動（跳ね上げ）が不十分となること、及び、肘掛け部２２が過剰に上方へと回動されて背凭れ部２０よりも後方に大きく突出することが防止されている。
【００４９】
続いて、図３（Ｂ）に示す状態から、リクライニングボタン６６（図１参照）を押して背凭れ部２０を後方へとリクライニングさせ、図４（Ａ）中に実線矢印で示すように最も後傾位置まで倒す。この状態では、図４（Ａ）から諒解されるように、上方へと回動させておいた肘掛け部２２が、深くリクライニングさせた背凭れ部２０の前方へと飛び出した位置となってしまい、再び着席者の障害となってしまう。
【００５０】
ところが、当該肘掛け装置１０では、図４（Ａ）中に実線矢印で示すように、背凭れ部２０のリクライニング動作に連動して、固定板４０もリクライニング軸３８を中心として図４（Ａ）中の反時計回りに回動し、これに伴ってアーム部材５４も一体的に回動する。従って、肘掛け部２２の上方への回動可能角度を規定する長孔５８ｂの一端部５９とピン６２との間に、再び隙間が形成されるため、肘掛け部２２のさらなる上方への回動動作が許容された状態となる。
【００５１】
そこで、図４（Ｂ）中に実線矢印で示すように、図４（Ａ）に示す状態から、再び肘掛け部２２を上方へと跳ね上げることで、該肘掛け部２２を再び側面視で背凭れ部２２と重なる位置へと退避させることができる。つまり、背凭れ部２０をリクライニングさせた場合には、このリクライニング動作に連動して、肘掛け部２２の上方への回動可能角度を規定する長孔５８ｂの一端部５９とピン６２との間に再び隙間が形成されるため、背凭れ部２０を深くリクライニングさせた場合であっても、肘掛け部２２の上方への回動（跳ね上げ）が不十分となること、及び、肘掛け部２２が過剰に上方へと回動されて背凭れ部２０よりも後方に大きく突出することが防止される。換言すれば、長孔５８ｂの一端部５９とピン６２との間の隙間の形成量を適宜設定（設計）するだけで、肘掛け部２２の回動範囲を背凭れ部２０のリクライニング状態に応じた適切なものに規定することができる。
【００５２】
一方、図４（Ｂ）に示す状態から、背凭れ部２０を起こすと、図３（Ｂ）中に破線矢印で示すように、背凭れ部２０の前傾方向へのリクライニング動作に連動して、アーム部材５４もリクライニング軸３８を中心として時計回りに下方へと回動する。この際、図４（Ｂ）に示す状態では、ピン６２が長孔５８ｂの一端部５９に当接していることから、アーム部材５４が回動すると、ピン６２が長孔５８ｂの一端部５９を押圧し、リンク部材５８も一体的に下方へと移動させる。このリンク部材５８の下方への移動により、円弧状孔部６０内を移動する軸部材５６によって肘掛け部２２も下方へと押し下げられ、回転軸ピン５０を中心として倒伏方向へと回動する。
【００５３】
従って、図３（Ｂ）に示すように、肘掛け部２２は、リクライニング角度が前傾された背凭れ部２０に伴って、側面視で該背凭れ部２２と重なる位置へと自動的に起こされる。この状態からさらに肘掛け部２２を下方へと回動させたい場合には、手動で下方へと回動させることにより、例えば図３（Ａ）に示す初期状態となる位置に設定することができる。なお、肘掛け部２２の下方への回動範囲は、図３（Ａ）に示すように、肘掛け部２２が下方へと回動された場合に、回転軸ピン５０が支持プレート４２ａの円弧状孔部６０の一端部（終端、下端）に当接することで規制される。
【００５４】
なお、図３及び図４では、背凭れ部２０のリクライニング角度を最も前傾させる場合及び最も後傾させる場合を例示して、肘掛け装置１０の動作を説明したが、背凭れ部２０を途中のリクライニング角度に設定した場合であっても、このリクライニング角度に応じて、長孔５８ｂの一端部５９とピン６２との間に隙間が形成されるため、当該リクライニング角度に対応する跳ね上げ位置まで肘掛け部２２を上方へと回動させることができることは勿論である。また、この状態からリクライニング角度を前傾方向へと起こした場合の肘掛け部２２の自動復帰動作についても上記の場合と同様である。
【００５５】
さらに、本実施形態では、左席１２Ｌの背凭れ部２０に設けられる肘掛け装置１０と、右席１２Ｒの背凭れ部２０に設けられる肘掛け装置１０とが、共通の軸部材５６によって連動している。このため、例えば、肘掛け部２２を図３（Ａ）から図３（Ｂ）に示す状態のように跳ね上げる場合には、左席１２Ｌ及び右席１２Ｒのうち、いずれか浅い方の背凭れ部２０のリクライニング角度に依拠した回動範囲で規制できる。また、例えば、背凭れ部２０を図４（Ｂ）から図３（Ｂ）に示す状態のように前傾させる場合には、左席１２Ｌ及び右席１２Ｒのうち、いずれか一方の背凭れ部２０を前傾させると、この前傾動作に伴って肘掛け部２２も該一方の背凭れ部２０のリクライニング角度に対応する位置まで自動的に戻されることになる。
【００５６】
以上のように、本実施形態に係る椅子の肘掛け装置１０によれば、背凭れ部２０に対して一体的に設けられることで該背凭れ部２０のリクライニング動作と連動して回動するアーム部材５４と、肘掛け部２２（２２Ｌ、２２Ｍ、２２Ｒ）に対して回転自由に軸支されることで該肘掛け部２２の回動動作と連動して移動すると共に、アーム部材５４と連係することにより、肘掛け部２２の上方への回動範囲を、背凭れ部２０のリクライニングの状態に応じた位置に規制するリンク部材５８とを備える。
【００５７】
従って、肘掛け部２２を背凭れ部２０のリクライニングの状態に適した位置へと確実に退避させることができる。このため、背凭れ部２０がリクライニング可能な椅子１２（１２Ｌ、１２Ｒ）であっても、肘掛け部２２の上方への回動（跳ね上げ）が不十分となること、及び、肘掛け部２２が過剰に上方へと回動されて背凭れ部２０よりも後方に大きく突出することを防止でき、常に最適な跳ね上げ位置となるように肘掛け部２２の回動位置を制御することができる。
【００５８】
なお、本発明は、上記した実施形態に限定されるものではなく、本発明の主旨を逸脱しない範囲で自由に変更できることは勿論である。
【００５９】
例えば、上記実施形態では、張り材２４を背フレーム２３の表面に張設した背凭れ部２０を用いた構成を例示したが、図示しない背板の前面にクッションを設けた構成等、背凭れ部はリクライニング可能なものであればどのような構成であってもよい。
【００６０】
上記実施形態では、背凭れ部２０のリクライニング動作と連動するアーム部材５４と、肘掛け部２２の回動動作と連動するリンク部材５８とを、アーム部材５４のピン６２をリンク部材５８の長孔５８ｂに挿入させることで連係させる構成を例示したが、例えば、リンク部材にピンを設け、このピンが挿入される長孔をアーム部材に設けてもよく、さらには、アーム部材５４とリンク部材とが互いに連係可能であれば、ピンと長孔とを用いた構成以外の連係機構を用いてもよい。
【符号の説明】
【００６１】
１０  肘掛け装置
１２  椅子
１４  脚部
１６  基部
１８  座部
２０  背凭れ部
２３  背フレーム
２２、２２Ｌ、２２Ｍ、２２Ｒ  肘掛け部
３２  側部フレーム
３６  取付部
３８  リクライニング軸
４０  固定板
４２  基部プレート
４２ａ  支持プレート
４４  フランジプレート
５０  回転軸ピン
５４  アーム部材
５６  軸部材
５８  リンク部材
５８ｂ  長孔
５９  一端部
６０  円弧状孔部
６２  ピン
【図１】
0005956134.tif 000002
【図２】
0005956134.tif 000003
【図３】
0005956134.tif 000004
【図４】
0005956134.tif 000005